(57)【要約】【課題】本発明は、遮煙性及び遮音性を向上させることができるエレベータのドア装置を得ることを目的とするものである。【解決手段】ドア本体１の下端部には、敷居溝７ａよりも乗場側で敷居７の上面に接触することによりドア本体１の下端部と敷居７との間の隙間を遮蔽する遮蔽部材８が設けられている。遮蔽部材８は、ドア本体１の幅方向に沿って延び、戸の脚５とともにねじ６により補強部材４に固定されている。遮蔽部材８は、ゴム等の材料により構成されており、ドア本体１の開閉動作に伴って敷居７上を摺動する。【選択図】        図１
2004323222.tif 000002
【特許請求の範囲】
【請求項１】
乗場出入口を開閉するドア本体、
上記ドア本体の下端部に設けられている戸の脚、及び
上記ドア本体の下端部に設けられ、上記戸の脚が挿入される敷居溝よりも乗場側で床部に接触することにより上記ドア本体の下端部と上記床部との間の隙間を遮蔽する遮蔽部材
を備えていることを特徴とするエレベータのドア装置。
【請求項２】
かご出入口を開閉するドア本体、
上記ドア本体の下端部に設けられている戸の脚、及び
上記ドア本体の下端部に設けられ、上記戸の脚が挿入される敷居溝よりもかご室内部側で床部に接触することにより上記ドア本体の下端部と上記床部との間の隙間を遮蔽する遮蔽部材
を備えていることを特徴とするエレベータのドア装置。
【請求項３】
上記床部には、上記敷居溝を有する敷居が設けられており、上記敷居の上面には、上記敷居溝と平行に延び上記遮蔽部材の下端部が挿入される遮蔽部材挿入溝が設けられていることを特徴とする請求項１又は請求項２に記載のエレベータのドア装置。
【請求項４】
上記ドア本体の下端部に設けられ、上記遮蔽部材付近への異物の進入を防止するブラシをさらに備えていることを特徴とする請求項１〜請求項３のいずれかに記載のエレベータのドア装置。
【請求項５】
上記遮蔽部材は、上記戸の脚を上記ドア本体に取り付けたままの状態で上記ドア本体から取り外し可能になっていることを特徴とする請求項１〜請求項４のいずれかに記載のエレベータのドア装置。
【発明の詳細な説明】
【０００１】
【発明の属する技術分野】
この発明は、乗場出入口又はかご出入口を開閉するドア本体を有するエレベータのドア装置に関するものである。
【０００２】
【従来の技術】
従来、乗場の戸の下端部と敷居との間の隙間から、火災により発生した煙が昇降路内へ進入するのを防止するための遮煙構造が提案されている。この遮煙構造では、乗場の戸の下端部に戸の脚とともに下部遮煙板が固定されている（例えば、特許文献１参照）。
【０００３】
【特許文献１】
特開平８−１６５０８１号公報
【０００４】
【発明が解決しようとする課題】
上記のような従来の遮煙構造では、正面から見れば乗場の戸の下端部と敷居との間の隙間は閉塞されているものの、戸の脚と敷居溝との間の隙間から煙が回り込んで昇降路側へ進入する恐れがあった。また、昇降路内で発生した騒音についても、戸の脚と敷居溝との間の僅かな隙間を通して乗場やかご室の内部へ伝わる恐れがあった。
【０００５】
この発明は、上記のような問題点を解決することを課題としてなされたものであり、遮煙性及び遮音性を向上させることができるエレベータのドア装置を得ることを目的とする。
【０００６】
【課題を解決するための手段】
この発明に係るエレベータのドア装置は、戸の脚が挿入される敷居溝よりも乗場側で床部に接触することによりドア本体の下端部と床部との間の隙間を遮蔽する遮蔽部材をドア本体の下端部に設けたものである。
【０００７】
【発明の実施の形態】
以下、この発明の実施の形態を図について説明する。
実施の形態１．
図１はこの発明の実施の形態１によるエレベータのドア装置の要部断面図である。図において、乗場出入口を開閉するドア本体１は、鋼板を折り曲げ加工してなるドアパネル２と、ドアパネル２の裏面に接着剤３により接着され固定された鋼製の補強部材４とを有している。ドア本体１の下端部には、ドア本体１の幅方向に間隔をおいて複数の戸の脚５が取り付けられている。各戸の脚５は、ねじ６により補強部材４に固定されている。
【０００８】
乗場の床部には、敷居７が固定されている。敷居７は、戸の脚５の下端部が挿入された敷居溝７ａを有している。戸の脚５は、ドア本体１の開閉動作に伴って敷居溝７ａに沿って摺動される。
【０００９】
ドア本体１の下端部には、敷居７の上面に接触することによりドア本体１の下端部と敷居７との間の隙間を遮蔽する遮蔽部材８が設けられている。遮蔽部材８は、ドア本体１の幅方向に沿って延び、戸の脚５とともにねじ６により補強部材４に固定されている。また、遮蔽部材８は、ゴム等の可撓性及び弾性を持つ材料により構成されており、ドア本体１の開閉動作に伴って敷居７上を摺動する。
【００１０】
さらに、遮蔽部材８は、下端部に位置し敷居７の上面に気密に接触する接触部８ａと、接触部８ａを敷居７の上面に押し付けるような弾性復元力を有する断面弧状の湾曲部８ｂと、補強部材４に取り付けられた取付部８ｃとを有している。湾曲部８ｂが乗場側へ湾曲されていることにより、接触部８ａは、敷居溝７ａよりも乗場側で敷居７に接触するようになっている。
【００１１】
このようなエレベータのドア装置では、敷居溝７ａよりも乗場側で敷居７の上面に接触することによりドア本体１の下端部と敷居７との間の隙間を遮蔽する遮蔽部材８をドア本体１の下端部に取り付けたので、ドア本体１が閉じたときにドア本体１の下端部と敷居７との間の隙間をより確実に閉塞することができ、遮煙性及び遮音性を向上させることができる。
【００１２】
また、遮蔽部材８は、敷居溝７ａよりも乗場側で敷居７に接触しているので、煙がドアパネル２の内側に進入するのを防止することができ、煙がドアパネル２の内側を経由して昇降路側へ進入するのも防止することができる。さらに、遮蔽部材８の損傷や摩耗及び取付状態を乗場側から容易に確認でき、保守時及び取付時の作業性も向上させることができる。
さらにまた、湾曲部８ｂの復元力により接触部８ａが敷居７の上面に押し付けられているため、遮煙性及び遮音性をさらに向上させることができる。
【００１３】
実施の形態２．
次に、図２はこの発明の実施の形態２によるエレベータのドア装置の要部断面図である。図において、ドア本体１の下端部には、敷居７の上面に接触することによりドア本体１の下端部と敷居７との間の隙間を遮蔽する遮蔽部材９が設けられている。遮蔽部材９は、ドア本体１の幅方向に沿って延び、水平に折り曲げられたドアパネル２の下端部と補強部材４の下端部との間に挟持され固定されている。また、遮蔽部材９は、ゴム等の可撓性及び弾性を持つ材料により構成されており、ドア本体１の開閉動作に伴って敷居７上を摺動する。
【００１４】
さらに、遮蔽部材９は、下端部に位置し敷居７の上面に気密に接触する接触部９ａと、接触部９ａを敷居７の上面に押し付けるような弾性復元力を有する断面弧状の湾曲部９ｂと、ドアパネル２と補強部材４との間に挟持された取付部９ｃとを有している。湾曲部９ｂが乗場側へ湾曲されていることにより、接触部９ａは、敷居溝７ａよりも乗場側で敷居７に接触するようになっている。他の構成は、実施の形態１と同様である。
【００１５】
この実施の形態２による遮蔽部材９は、実施の形態１の遮蔽部材８と取付構造が異なるものであるが、このような遮蔽部材９によっても、実施の形態１と同様の効果が得られる。
【００１６】
実施の形態３．
次に、図３はこの発明の実施の形態３によるエレベータのドア装置の要部断面図である。図において、敷居７の上面には、敷居溝７ａと平行に延び遮蔽部材８の接触部（下端部）８ａが挿入される遮蔽部材挿入溝７ｂが設けられている。遮蔽部材挿入溝７ｂの深さ寸法は、敷居溝７ａの深さ寸法に比べて十分に小さい。ドア本体１の開閉動作時には、接触部８ａは遮蔽部材挿入溝７ｂ内を摺動される。他の構成は、実施の形態１と同様である。
【００１７】
このような遮蔽部材挿入溝７ｂを敷居７に設けることにより、乗場側及び昇降路側からの風圧やいたずら等による遮蔽部材８の位置ずれを防止することができる。また、接触部８ａが遮蔽部材挿入溝７ｂに係合することで、遮蔽部材８自体に反りが生じるのもある程度防止することができる。従って、優れた遮煙性及び遮音性を長期間にわたって安定して維持することができる。また、遮蔽部材８は遮蔽部材挿入溝７ｂに沿ってのみ摺動するので、敷居７の上面の光沢が遮蔽部材８との接触部と非接触部とで異なることによる意匠性の低下を防止することもできる。
【００１８】
実施の形態４．
次に、図４はこの発明の実施の形態４によるエレベータのドア装置の要部断面図、図５は図４のＶ−Ｖ線に沿う断面図である。図において、ドア本体１の下端部には、遮蔽部材８の接触部８ａ付近への異物（例えば塵埃やゴミ等）の進入を防止するブラシ（植毛部材）１１が設けられている。ブラシ１１は、遮蔽部材８の乗場側正面、戸開側端部及び戸閉側端部を囲むように配置されている。他の構成は、実施の形態１と同様である。
【００１９】
このようなブラシ１１を設けることにより、遮蔽部材８が異物に接触したり異物上を摺動したりするのを防止することができ、遮蔽部材８の劣化を防止して遮蔽部材８の長寿命化を図ることができる。
【００２０】
実施の形態５．
次に、図６はこの発明の実施の形態５によるエレベータのドア装置の要部を示す分解斜視図である。ドア本体１の下端部には、敷居溝７ａよりも乗場側で敷居７の上面に接触することによりドア本体１の下端部と敷居７との間の隙間を遮蔽する遮蔽部材１３が設けられている。遮蔽部材１３は、ドア本体１の幅方向に沿って延び、戸の脚５とは別に補強部材４に取り付けられる。即ち、遮蔽部材１３は、戸の脚５をドア本体１に取り付けたままの状態でドア本体１から取り外し可能になっている。他の構成は、実施の形態１と同様である。
【００２１】
このように、遮蔽部材１３を戸の脚５とは別にドア本体１に取り付けることにより、遮蔽部材１３の交換作業を戸の脚５を外さずに行うことができ、戸の脚５の位置の再調整の手間を省略することができ、遮蔽部材１３の交換作業を短時間で効率良く行うことができる。
【００２２】
なお、実施の形態１〜５では、乗場側のドア装置について説明したが、この発明はかご側のドア装置にも適用することができ、遮音性や遮煙性を向上させることができる。この場合、遮蔽部材は、かごの敷居溝よりもかご室内部側で床部に接触するようにすればよい。即ち、図１〜図６の乗場側をかご室内部側として見ればよい。
また、遮蔽部材は、実施の形態５のようにドア本体の幅全体に１個の部材としても、ドア本体の幅方向に複数個に分割された部材としてもよい。
さらに、実施の形態１〜５では、床部に敷居が設けられている場合について説明したが、乗場の床面やかごの床面に直接敷居溝が形成されている場合にもこの発明は適用できる。
さらにまた、遮蔽部材の断面形状やドア本体への取付方法等については、実施の形態１〜５に限定されるものではない。
また、この発明は、中央開き式のドア装置にも片開き式のドア装置にも適用でき、また１枚戸のドア装置にも複数枚の戸を有するドア装置にも適用できる。
【００２３】
【発明の効果】
以上説明したように、この発明のエレベータのドア装置は、戸の脚が挿入される敷居溝よりも乗場側で床部に接触することによりドア本体の下端部と床部との間の隙間を遮蔽する遮蔽部材をドア本体の下端部に設けたので、遮煙性及び遮音性を向上させることができる。
【図面の簡単な説明】
【図１】この発明の実施の形態１によるエレベータのドア装置の要部断面図である。
【図２】この発明の実施の形態２によるエレベータのドア装置の要部断面図である。
【図３】この発明の実施の形態３によるエレベータのドア装置の要部断面図である。
【図４】この発明の実施の形態４によるエレベータのドア装置の要部断面図である。
【図５】図４のＶ−Ｖ線に沿う断面図である。
【図６】この発明の実施の形態５によるエレベータのドア装置の要部を示す分解斜視図である。
【符号の説明】
１  ドア本体、５  戸の脚、７  敷居、７ａ  敷居溝、７ｂ  遮蔽部材挿入溝、８，９，１３  遮蔽部材、１１  ブラシ。
【図１】
2004323222.tif 000003
【図２】
2004323222.tif 000004
【図３】
2004323222.tif 000005
【図４】
2004323222.tif 000006
【図５】
2004323222.tif 000007
【図６】
2004323222.tif 000008